(57)【要約】【課題】１台で定格電圧の異なる複数種類の直流機器に駆動電源を供給することができる直流コンセントを提供する。【解決手段】直流コンセントＡの器体１の前面には、互いに電圧値の異なる直流電源を供給し、対応する負荷機器からのプラグが着脱自在に接続されるコンセント部２０ａ，２０ｂが配設されている。器体１の後面には電線挿入孔２ａが開口しており、この電線挿入孔２ａを通して内部に挿入された電線が接続される速結端子構造の端子部と、端子部を介して入力された直流電源の電圧値を対応するコンセント部に適合した電圧値に変換してコンセント部に供給するＤＣ／ＤＣコンバータとが器体１の内部に収納されている。【選択図】図１
2010027249.tif 000002
【特許請求の範囲】
【請求項１】
電圧値の異なる複数種類の直流電源を少なくとも含む複数種類の電源を供給し、対応する負荷機器からのプラグがそれぞれ着脱自在に接続される複数のコンセント部がコンセント本体に設けられたことを特徴とする直流コンセント。
【請求項２】
電圧値の異なる複数種類の直流電源を少なくとも含む複数種類の電源を供給し、対応する負荷機器からのプラグがそれぞれ着脱自在に接続される複数のコンセント部と、外部電源からの電線が接続される電源入力端子とをコンセント本体に設けるとともに、当該コンセント本体の内部に、電源入力端子を介して入力された外部電源を対応するコンセント部に適合した電圧値の直流電源に変換して当該コンセント部に供給するコンバータが収納されたことを特徴とする直流コンセント。
【請求項３】
前記コンバータは、直流電源からなる外部電源の電圧値を、対応するコンセント部に適合した電圧値に変換して当該コンセント部に供給するＤＣ／ＤＣコンバータからなることを特徴とする請求項２記載の直流コンセント。
【請求項４】
前記コンバータは、交流電源からなる外部電源を、電圧値の異なる複数種類の直流電源に変換して対応するコンセント部に供給するＡＣ／ＤＣコンバータからなることを特徴とする請求項２記載の直流コンセント。
【請求項５】
電圧値の異なる複数種類の直流電源を少なくとも含む複数種類の電源を供給し、対応する負荷機器からのプラグがそれぞれ着脱自在に接続される複数のコンセント部と、複数のコンセント部にそれぞれ適合した複数種類の電源からの電線が接続される電源入力端子とがコンセント本体に設けられ、電源入力端子を介して入力された電源が対応するコンセント部に供給されることを特徴とする直流コンセント。
【請求項６】
前記コンセント部はＩＥＣ規格に準拠し、前記プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、前記プラグが備えるプラグ側端子が差込接続される端子挿入用孔と、対応する種類の電源が供給されるとともに、端子挿入用孔を通してコンセント本体内に挿入されるプラグ側端子に電気的に接続される刃受部材とを備えたことを特徴とする請求項１乃至５の何れか１項に記載の直流コンセント。
【請求項７】
前記突出部の外周面において、給電電圧に応じた位置に、プラグ側の識別リブが係入する誤接続防止溝が形成されたことを特徴とする請求項６記載の直流コンセント。
【請求項８】
前記突出部の前面が、コンセント本体の前面よりも後退した位置にあることを特徴とする請求項６又は７の何れか１項に記載の直流コンセント。
【請求項９】
前記コンセント本体は日本工業規格に準拠した大きさであって、大角形連用配線器具の取付枠に３個まで並べて取着可能なモジュール寸法の複数個分の大きさに形成されるとともに、前記コンセント部が配設された前面を取付枠の開口から前方に露出させた状態で取付枠の被係合部に係止離脱可能に係合する係合手段を備えたことを特徴とする請求項１乃至８の何れか１項に記載の直流コンセント。
【請求項１０】
前記コンセント本体は日本工業規格に準拠した大きさであって、大角形連用配線器具の取付枠に３個まで並べて取着可能なモジュール寸法の３個分の大きさに形成されるとともに、造営面に開口する埋込用孔にコンセント本体の後部を収納した状態で埋込用孔の周縁部に後面が当接する固定片を備え、当該固定片を造営面に固定するための固定手段が当該固定片に設けられたことを特徴とする請求項１乃至８の何れか１項に記載の直流コンセント。
【請求項１１】
コンセント部に接続されるプラグのプラグ側端子を受ける刃受部材に電気的に接続された端子板と、当該端子板との間に外部の電源からの電線を圧接接続する鎖錠ばねと、端子板と電線との接続状態を解除するために鎖錠ばねを圧接解除方向に撓ませる解除釦とを具備した速結端子構造の端子部を備えることを特徴とする請求項１乃至１０の何れか１項に記載の直流コンセント。
【発明の詳細な説明】
【技術分野】
【０００１】
本発明は、直流コンセントに関するものである。
【背景技術】
【０００２】
従来、ラジオや電話機などの機器は直流電源を駆動電源としており、このような直流機器に直流電源を供給するための直流コンセントが公知であった（例えば特許文献１参照）。
【０００３】
上記特許文献に示される直流コンセントは、壁内に組み込まれたスイッチボックスに収納される本体を備え、この本体に交流電源を直流電源に変換するコンバータを内蔵してある。そして、スイッチボックスに相対する本体の面には、壁内に配線された交流電源の電源線が接続される交流接続端子が設けられ、室内に相対する本体の面には、直流機器からの接続線に設けたプラグが着脱自在に接続されるコンセント部が設けられている。而して、直流コンセントの交流接続端子に交流電源の電源線が接続されると、コンバータにより交流電源が直流電源に変換されてコンセント部に供給され、コンセント部にプラグが接続された直流機器に対して直流電源を供給することができる。
【特許文献１】特開平７−１５８３５号公報（段落［００２１］−［００２３］、及び、第１図）
【発明の開示】
【発明が解決しようとする課題】
【０００４】
ところで、直流電源の供給を受けて動作する直流機器には、定格電圧の異なるものが複数種類存在するが、上述の直流コンセントでは、交流入力端子を介して供給された交流電源を、内蔵のコンバータで１種類の直流電源に変換してコンセント部から直流機器側に供給しているだけなので、定格電圧の異なる複数種類の直流機器に対して駆動電源を供給することができないという問題があった。
【０００５】
本発明は上記問題点に鑑みて為されたものであり、その目的とするところは、１台で定格電圧の異なる複数種類の直流機器に駆動電源を供給することができる直流コンセントを提供することにある。
【課題を解決するための手段】
【０００６】
上記目的を達成するために、請求項１の発明は、電圧値の異なる複数種類の直流電源を少なくとも含む複数種類の電源を供給し、対応する負荷機器からのプラグがそれぞれ着脱自在に接続される複数のコンセント部がコンセント本体に設けられたことを特徴とする。
【０００７】
請求項２の発明は、電圧値の異なる複数種類の直流電源を少なくとも含む複数種類の電源を供給し、対応する負荷機器からのプラグがそれぞれ着脱自在に接続される複数のコンセント部と、外部電源からの電線が接続される電源入力端子とをコンセント本体に設けるとともに、当該コンセント本体の内部に、電源入力端子を介して入力された外部電源を対応するコンセント部に適合した電圧値の直流電源に変換して当該コンセント部に供給するコンバータが収納されたことを特徴とする。
【０００８】
請求項３の発明は、請求項２の発明において、コンバータは、直流電源からなる外部電源の電圧値を、対応するコンセント部に適合した電圧値に変換して当該コンセント部に供給するＤＣ／ＤＣコンバータからなることを特徴とする。
【０００９】
請求項４の発明は、請求項２の発明において、コンバータは、交流電源からなる外部電源を、電圧値の異なる複数種類の直流電源に変換して対応するコンセント部に供給するＡＣ／ＤＣコンバータからなることを特徴とする。
【００１０】
請求項５の発明は、電圧値の異なる複数種類の直流電源を少なくとも含む複数種類の電源を供給し、対応する負荷機器からのプラグがそれぞれ着脱自在に接続される複数のコンセント部と、複数のコンセント部にそれぞれ適合した複数種類の電源からの電線が接続される電源入力端子とがコンセント本体に設けられ、電源入力端子を介して入力された電源が対応するコンセント部に供給されることを特徴とする。
【００１１】
請求項６の発明は、請求項１乃至５の何れかの発明において、コンセント部はＩＥＣ規格に準拠し、プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、プラグが備えるプラグ側端子が差込接続される端子挿入用孔と、対応する種類の電源が供給されるとともに、端子挿入用孔を通してコンセント本体内に挿入されるプラグ側端子に電気的に接続される刃受部材とを備えたことを特徴とする。
【００１２】
請求項７の発明は、請求項６の発明において、突出部の外周面において、給電電圧に応じた位置に、プラグ側の識別リブが係入する誤接続防止溝が形成されたことを特徴とする。
【００１３】
請求項８の発明は、請求項６又は７の何れかの発明において、突出部の前面が、コンセント本体の前面よりも後退した位置にあることを特徴とする。
【００１４】
請求項９の発明は、請求項１乃至８の何れかの発明において、コンセント本体は日本工業規格に準拠した大きさであって、大角形連用配線器具の取付枠に３個まで並べて取着可能なモジュール寸法の複数個分の大きさに形成されるとともに、コンセント部が配設された前面を取付枠の開口から前方に露出させた状態で取付枠の被係合部に係止離脱可能に係合する係合手段を備えたことを特徴とする。
【００１５】
請求項１０の発明は、請求項１乃至８の何れかの発明において、コンセント本体は日本工業規格に準拠した大きさであって、大角形連用配線器具の取付枠に３個まで並べて取着可能なモジュール寸法の３個分の大きさに形成されるとともに、造営面に開口する埋込用孔にコンセント本体の後部を収納した状態で埋込用孔の周縁部に後面が当接する固定片を備え、当該固定片を造営面に固定するための固定手段が当該固定片に設けられたことを特徴とする。
【００１６】
請求項１１の発明は、請求項１乃至１０の何れかの発明において、コンセント部に接続されるプラグのプラグ側端子を受ける刃受部材に電気的に接続された端子板と、当該端子板との間に外部の電源からの電線を圧接接続する鎖錠ばねと、端子板と電線との接続状態を解除するために鎖錠ばねを圧接解除方向に撓ませる解除釦とを具備した速結端子構造の端子部を備えることを特徴とする。
【発明の効果】
【００１７】
請求項１の発明によれば、複数のコンセント部から、電圧値の異なる複数種類の直流電源を含む複数種類の電源を供給することができるので、複数種類の定格電圧の直流機器に対して駆動電源を供給することができる。
【００１８】
請求項２の発明によれば、複数のコンセント部から、電圧値の異なる複数種類の直流電源を含む複数種類の電源を供給することができるので、複数種類の定格電圧の直流機器に対して駆動電源を供給することができる。しかも、コンバータにより外部電源をコンセント部に適合した電圧値の直流電源に変換して、対応するコンセント部に供給しているので、電源入力端子に接続する電源の系統を少なくできるという効果もある。
【００１９】
請求項３の発明によれば、ＤＣ／ＤＣコンバータにより直流電源を電圧値の異なる直流電源に変換し、対応するコンセント部に供給しているので、電源入力端子に接続する電源の系統を少なくできるという効果がある。
【００２０】
請求項４の発明によれば、ＡＣ／ＤＣコンバータにより交流電源を複数種類の電圧値の直流電源に変換し、対応するコンセント部に供給しているので、電源入力端子に接続する電源の系統を少なくできるという効果がある。
【００２１】
請求項５の発明によれば、複数のコンセント部から、電圧値の異なる複数種類の直流電源を含む複数種類の電源を供給することができるので、複数種類の定格電圧の直流機器に対して駆動電源を供給することができる。しかも、電源入力端子を介して入力された複数種類の電源が各コンセント部から対応する負荷機器に供給されるので、各々の直流コンセントでＡＣ／ＤＣ変換やＤＣ／ＤＣ変換を行う場合のように各直流コンセントで変換ロスが発生することはないから、建物全体での電力損失を低減することができる。
【００２２】
請求項６の発明によれば、コンセント部はＩＥＣ規格に準拠しており、ＩＥＣ規格に準拠したプラグを備えた直流機器を接続して使用することができるので、使い勝手が向上するという利点がある。
【００２３】
請求項７の発明によれば、供給電圧の異なるプラグが差込接続されるのを防止することができ、直流機器に対して適切な供給電圧の直流電源を供給することができる。
【００２４】
請求項８の発明によれば、コンセント部に接続されたプラグのコンセント本体前面からの突出量を小さくできるという効果がある。
【００２５】
請求項９の発明によれば、コンセント本体は日本工業規格に準拠した大きさであって、モジュール寸法の複数個分の大きさに形成されているので、大角形連用配線器具の取付枠を用いた施工が可能になり、コンセント本体がモジュール寸法の２個分の大きさに形成されている場合は、モジュール寸法の１個分の大きさに形成された他の配線器具と共に取付枠に並設することができる。
【００２６】
請求項１０の発明によれば、コンセント本体は日本工業規格に準拠した大きさであって、モジュール寸法の３個分の大きさに形成されており、コンセント本体の後部を埋込用孔に収納し、固定片の後面を埋込用孔の周縁部に当接させた状態で、固定手段を用いて固定片が造営面に固定されるので、取付枠を用いることなくコンセント本体を造営面に埋込配設することができる。
【００２７】
請求項１１の発明によれば、端子板と鎖錠ばねとの間に電線を挿入するだけで接続作業が行えるので、特別な工具を必要とせず、電線接続作業の作業性を向上させることができる。さらに、電線を取り外す際には解除釦を操作して、鎖錠ばねを撓ませるだけで良いので、電線の取り外し作業を容易に行うことができる。
【発明を実施するための最良の形態】
【００２８】
本発明に係る直流コンセントは例えば造営面（壁など）の裏側に先行配線された外部電源（直流電源や交流電源）からの電線が接続されるとともに、造営面に埋込配設されており、前面に設けた複数のコンセント部に接続される負荷機器に対して、複数種類の電源（複数種類の直流電源を含む）を供給するものである。以下に、本発明に係る直流コンセントの実施形態を図面に基づいて説明する。
【００２９】
（実施形態１）
本発明の実施形態１を図１〜図１０に基づいて説明する。尚、以下の説明では特に断りが無いかぎり、図１（ａ）の向きにおいて上下左右の方向を規定し、また図１（ａ）における正面を前面という。したがって、図１（ｂ）における右側は後側となる。
【００３０】
図５は直流コンセントＡの内部回路を示し、造営面の裏側に先行配線された直流電源（例えばＤＣ４８Ｖ電源）からの電線が接続される端子部１１と、端子部１１に入力された直流電源がそのまま供給されるコンセント部２０ａと、端子部１１に入力された直流電源を電圧値の異なる直流電源（例えばＤＣ２４Ｖ電源）に変換してコンセント部２０ｂに供給するＤＣ／ＤＣコンバータ３０とを備えている。すなわち本実施形態では、２つのコンセント部２０ａ，２０ｂから２種類（ＤＣ４８Ｖ及びＤＣ２４Ｖ）の直流電源を供給できるようになっている。
【００３１】
直流コンセントＡは、図１〜図３に示すように合成樹脂製の器体１（コンセント本体）を備え、この器体１は、前面が開口した略箱状の合成樹脂製のボディ２と、後面が開口した略箱状の合成樹脂製のカバー３とを、金属製の組立枠４，４にて結合して組み立てられる。
【００３２】
カバー３の前面には突台５が一体に突設され、突台５の前面には直流電源用のプラグが着脱自在に接続される複数（例えば２個）のコンセント部２０ａ，２０ｂが上下に並べて設けられている。また突台５の左右両側の肩部６には、略コ字状に形成された組立枠４の中央片がそれぞれ載置される。組立枠４の両脚片は、カバー３およびボディ２の側面にそれぞれ形成された係止凹部７，８に挿入され、両脚片の先端部に設けた略Ｖ形の引掛爪４ｃ，４ｃを拡開させて係止凹部８の両側段部に係止させることによって、ボディ２とカバー３とが組立枠４，４により結合される。なお組立枠４の中央片の外側縁には、合成樹脂製の取付枠８０（図３参照）に設けられた取付孔に係合可能な一対の係止爪４ａが突設されるとともに、中央片の内側縁から前方に突出する突出片に、金属製の取付枠に取り付ける際に取付枠の係止爪が係止される係止孔４ｂが設けられている。ここにおいて、係止爪４ａと係止孔４ｂとで、前面を取付枠の開口から前方に露出させた状態で取付枠の被係合部に係止離脱可能に係合する係合手段が構成される。
【００３３】
一方、ボディ２には、図２に示すように幅方向（左右方向）の略中央を隔壁９で仕切ることによって、左右両側に端子収納室１０，１０が設けられている。各端子収納室１０には、一方のコンセント部２０ａに適合した直流電源（例えばＤＣ４８Ｖ電源）からの電線が接続される端子部１１（直流入力端子）がそれぞれ収納されている。またボディ２の後面には、図１（ｃ）及び図２に示すように、各端子収納室１０と外部とを連通する各一対の電線挿入孔２ａと、解除釦操作孔２ｂとがそれぞれ形成されている。尚、直流電源からの電線には極性があるので、電線の誤接続を防止するため、図１（ｃ）に示すようにボディ２の後面において電線挿入孔２ａの近傍に電源の種別や極性を示す文字や記号（例えば「ＤＣ４８Ｖ」の文字や「＋」、「−」といった記号）を印刷などの方法で表示しても良く、誤接続の虞を低減することができる。
【００３４】
各端子部１１は、電線挿入孔２ａから内部に挿入された電線に接続される側面視略コ字形の端子板１２と、２個の電線挿入孔２ａから器体１内に挿入された電線の芯線をそれぞれ端子板１２に圧接接続する２個の鎖錠ばね１３と、端子板１２と電線との接続を外すために２個の鎖錠ばね１３を圧接解除方向に撓ませる解除釦１４とを具備した速結端子構造を有している。また各端子板１２の一側片の先端から側方に延出する延出片１２ｃには、一方のコンセント部２０ａの刃受部材１５がそれぞれかしめ固定されて、端子板ブロック１６を構成する（図２参照）。他方のコンセント部２０ｂの刃受部材１５，１５はＤＣ／ＤＣコンバータ３０の出力端子に電気的に接続されており、ＤＣ／ＤＣコンバータ３０の入力端子は端子板１２，１２に電気的に接続されている。すなわち一方のコンセント部２０ａの刃受部材１５，１５には端子部１１に入力された直流電源がそのまま供給され、他方のコンセント部２０ｂの刃受部材１５，１５にはＤＣ／ＤＣコンバータ３０により電圧値が変換された直流電源が供給される。なお刃受部材１５は弾性を有する帯板を逆Ω字形に曲成して形成されており、底片の両側から突出する一対の刃受ばね片１５ａは互いに対向配置され、両者の間隔が上方ほど幅狭となるように傾斜し、且つ、上端間は導電ピン５４ａ，５４ｂが挿入しやすいよう上方ほど間隔が広がるように傾斜している。
【００３５】
そして、端子板１２のコ字状部分に鎖錠ばね１３が配置されると、端子板１２の一方の側片１２ａに鎖錠ばね１３に設けた鎖錠片１３ａ及び接触片１３ｂが対向する。鎖錠片１３ａ及び接触片１３ｂは、弾性を有する導電材料の帯板の両端部を曲成して中央片１３ｃの両端部に形成されている。鎖錠片１３ａは中央片１３ｃとの連結部位から先端縁に向かって端子板１２の側片１２ａに近づく向きに傾斜し、接触片１３ｂは略Ｓ字形に曲成されている。また、中央片１３ｃは略平板状に形成されていて端子板１２の他方の側片１２ｂに当接する。各端子板１２は、図２に示すように各端子収納室１０内に一対の鎖錠ばね１３と解除釦１４とが納装された後、端子板１２のコ字状部分に鎖錠ばね１３及び解除釦１４を収めるようにして端子収納室１０に収納されている。
【００３６】
この端子部１１に電線を接続するに当たっては、電線の被覆が剥かれた芯線をボディ２の後面に開口する電線挿入孔２ａに挿入すると、この芯線が鎖錠ばね１３の鎖錠片１３ａ及び接触片１３ｂと端子板１２の側片１２ａとの間に挿入され、鎖錠片１３ａの先端が電線に食い込んで抜け止めがなされるとともに、鎖錠片１３ａ及び接触片１３ｂによって電線が端子板１２の側片１２ａに圧接されることにより、電線と端子板１２との導通（接続）が図られる。すなわち端子部１１として速結端子構造のものを用いることで、特別な工具を必要とせずに電線の接続作業が行え、電線接続作業の作業性を向上させることができる。また電線を取り外す際には、解除釦操作孔２ｂを通して挿入されたドライバなどの治具により解除釦１４を押動すると、解除釦１４によって鎖錠ばね１３の鎖錠片１３ａが側片１２ａから離れる向きに撓められ、鎖錠片１３ａの先端が電線から引き離されて、電線の鎖錠状態が解除されるので、電線の取り外し作業を容易に行うことができる。尚、本実施形態では端子部１１として速結端子構造のものを用いているが、端子部１１を速結端子に限定する趣旨のものではなく、例えばねじ式端子を用いて端子部１１を構成しても良い。
【００３７】
ここで、直流コンセントＡの器体１は、日本工業規格（ＪＩＳ  Ｃ  ８３０３参照）に準拠した大きさであって、大角形連用配線器具の取付枠８０（ＪＩＳ  Ｃ  ８３７５参照）に３個まで並べて取着可能なモジュール寸法の２個分の大きさ（この大きさを２個モジュール寸法という。）に形成されている。図３（ｂ）は直流コンセントＡを取付枠８０に取り付ける前の状態を示しており、この取付枠８０は、長手方向に対向する取付片８１に、図示しない埋込ボックスに取り付けるためのボックスねじ用の長孔８２と、前面にプレート枠（図示せず）等を取り付けるためのプレートねじ用のねじ孔８３と、壁を構成する石膏ボードなどに取り付けるための従来周知のはさみ金具（図示せず）が取着される取着孔（図示せず）とが少なくとも設けられている。また、取付枠８０の長手方向に沿う側片８５，８６のうち、一方の側片８５には２個で１組となった係止孔（図示せず）が３組ずつ並設され、他方の側片８６には横長の板片８７が垂設されている。この板片８７には開口部８９が長手方向に３個並設され、各開口部８９の下縁には突出片８８が上方へ突設してある。
【００３８】
而して、この直流コンセントＡを造営面に埋込配設する際には、先ず直流コンセントＡの一方の組立枠４に設けた係止爪４ａを側片８５の係止孔に挿入したのち、他方の組立枠４の係止爪４ａを突出片８８の両側の肩部８８ａに載せるようにして開口部８９に挿入すれば、図３（ａ）に示すように突台５の前面を開口８４から露出させた状態で器体１を取付枠８０に取り付けることができる。次に造営面に開口する埋込用孔を通して電線を室内側に引き出した後、この電線の被覆が剥かれた芯線を電線挿入孔２ａに挿入して、直流電源からの電線を端子部１１に接続する。そして、器体１の後部を埋込用孔に埋設した状態で取付枠８０を造営面に固定することによって、直流コンセントＡの器体１が取付枠８０を介して造営面に固定され、取付枠８０の前面側にプレートを取着することで施工が完了する。
【００３９】
ここにおいて、直流コンセントＡの器体１は２個モジュール寸法に形成されているので、１個モジュール寸法に形成された他の配線器具と共に取付枠８０に並設することができる。例えば図４（ａ）に示すように直流コンセントＡをＬＡＮ用コンセント９２と共に取付枠８０に並設しても良いし、同図（ｂ）に示すように直流コンセントＡをＡＣコンセント９３と共に取付枠８０に並設しても良く、また同図（ｃ）に示すように直流コンセントＡをＴＶコンセント９４と共に取付枠８０に並設しても良い。尚、図４中の９０は取付枠８０の前面側に取着される化粧プレートであり、化粧プレート９０の開口窓９１から直流コンセントＡや他の配線器具９２〜９４のボス部（突台５）が露出するようになっている。
【００４０】
次に本実施形態が備えるコンセント部２０ａ，２０ｂについて説明する。コンセント部２０ａ，２０ｂ及び各コンセント部２０ａ，２０ｂに着脱自在に接続されるプラグＢはそれぞれＩＥＣ規格（ＣＥＩ／ＩＥＣ  ９０６−３）に準拠しており、ＩＥＣ規格（ＣＥＩ／ＩＥＣ  ９０６−３）では、８種類（交流及び直流の６Ｖ，１２Ｖ，２４Ｖ，４８Ｖ）のＳＥＬＶ（Safety Extra-Low Voltage）電源に対して極配置が定められている。
【００４１】
先ず、直流機器側のプラグＢについて図８〜図１０を参照して説明する。プラグＢは直流機器からの電線６０に接続されている。プラグＢは略円柱状のプラグ本体５１を備え、プラグ本体５１の先端側には後側よりも細径となる円筒状の嵌合部５２が形成されている。嵌合部５２の内周面には基準位置を示すリブ５３がプラグ本体５１の軸方向に沿って突設されている。そして、プラグ本体５１の中心位置を通り、当該中心位置とリブ５３とを結ぶ線分に対して直交する直線上には、中心位置に対して対称な位置に、プラグ本体５１の軸方向に沿って延びる丸棒状の２本の導電ピン５４ａ，５４ｂが配置されている。尚、図１０（ａ）に示すようにリブ５３を上側に見た時に右側に位置する導電ピン５４ａが正極側、左側に位置する導電ピン５４ｂが負極側の導電ピンとなっている。また嵌合部５２の内周面には、電源の種類（直流又は交流の別、及び定格電圧）に応じた位置に、プラグ本体５１の軸方向に沿って延びる誤接続防止用の識別リブ５５が突設されている。図１０（ａ）は直流用のプラグＢに設けられた識別リブ５５の位置を示し、電源電圧がＤＣ６Ｖ，１２Ｖ，２４Ｖ，４８Ｖの場合、それぞれ、リブ５３の位置を基準（０°）として左回りに１２０°，１５０°，２１０°，２４０°の位置に識別リブ５５が１箇所ずつ形成されている。なお、図１０（ｂ）は交流用のプラグＢに設けられた識別リブ５５の位置を示し、電源電圧がＡＣ６Ｖ，１２Ｖ，２４Ｖ，４８Ｖの場合、それぞれ、リブ５３の位置を基準として左回りに３０°，６０°，３００°，３３０°の位置に識別リブ５５が１箇所ずつ形成されている。ここにおいて、本実施形態の直流コンセントＡはＤＣ４８Ｖ用のコンセント部２０ａとＤＣ２４Ｖ用のコンセント部２０ｂを備えており、ＤＣ４８Ｖ用のコンセントＡに対応したプラグＢでは、リブ５３に対して左回りに２４０°の位置に識別リブ５５が設けられている。またＤＣ２４Ｖ用のコンセントＡに対応したプラグＢでは、リブ５３に対して左回りに２１０°の位置に識別リブ５５が設けられている。
【００４２】
次にコンセント部２０ａ，２０ｂについて説明する。尚、コンセント部２０ａ，２０ｂは対応する電源に応じて識別リブ５５の位置が異なるだけで、他の構成は同一であるので、コンセント部２０ａについて図６及び図７を参照して説明を行う。コンセント部２０ａは、プラグＢの先端部（嵌合部５２）が挿入される丸穴状のプラグ挿入用穴２１と、プラグ挿入用穴２１の内周面との間に隙間を設けた状態で、プラグ挿入用穴２１の底面から前方に向かって突出して嵌合部５２内に挿入される円柱状の突出部２２と、当該突出部２２の前面に開口して、プラグＢの先端部に設けた導電ピン５４ａ，５４ｂが差込接続される一対の端子挿入用孔２３ａ，２３ｂと、端子挿入用孔２３ａ，２３ｂを通して器体１内に挿入される導電ピン５４ａ，５４ｂにそれぞれ電気的に接続される上記の刃受部材１５，１５とを備えている。突出部２２の周面には基準位置を示す切欠溝２２ａが形成され、突出部２２の中心位置を通り、当該中心位置と切欠溝２２ａとを結ぶ線分に対して直交する直線上には、中心位置に対して対称な位置に端子挿入用孔２３ａ，２３ｂが開口している。尚、図７（ａ）に示すように切欠溝２２ａを上側に見た時に左側に位置する端子挿入用孔２３ａが正極側、右側に位置する端子挿入用孔２３ｂが負極側の端子に対応している。
【００４３】
また突出部２２の外周面には、電源の種類（直流又は交流の別、及び定格電圧）に応じた位置に、対応するプラグＢの識別リブ５５が嵌合する誤接続防止用の切欠溝２２ｂ（誤接続防止溝）が形成されている。図７（ａ）はコンセント部２０に供給される電源が直流電源の場合の切欠溝２２ｂの位置を示し、電源電圧が６Ｖ，１２Ｖ，２４Ｖ，４８Ｖの場合、それぞれ、切欠溝２２ａの位置を基準（０°）として右回りに１２０°，１５０°，２１０°，２４０°の位置に切欠溝２２ｂが１箇所ずつ形成されている。また、図７（ｂ）はコンセント部２０に供給される電源が交流電源の場合の切欠溝２２ｂの位置を示し、電源電圧が６Ｖ，１２Ｖ，２４Ｖ，４８Ｖの場合、それぞれ、切欠溝２２ａの位置を基準（０°）として右回りに３０°，６０°，３００°，３３０°の位置に切欠溝２２ｂが１箇所ずつ形成されている。ここにおいて、直流コンセントＡが備える２個のコンセント部２０ａ，２０ｂはＤＣ４８Ｖ用とＤＣ２４Ｖ用であり、ＤＣ４８Ｖ用のコンセント部２０ａでは切欠溝２２ａの位置を基準として右回りに２４０°の位置に切欠溝２２ｂが形成され、ＤＣ２４Ｖ用のコンセント部２０ｂでは切欠溝２２ａの位置を基準として右回りに２１０°の位置に切欠溝２２ｂが形成されている。このように、コンセント部２０ａ，２０ｂには、突出部２２の外周面において給電電圧に応じた位置に、プラグＢ側の識別リブ５５が係入する切欠溝２２ｂが形成されているので、識別リブ５５及び切欠溝２２ｂの位置によって供給電圧の異なるプラグＢが差込接続されるのを防止することができ、直流機器に対して適切な供給電圧の直流電源を供給することができる。
【００４４】
そして、コンセント部２０ａ，２０ｂに適合したプラグＢの嵌合部５２がプラグ挿入用穴２１に挿入されると、嵌合部５２の筒内に突出部２２が挿入されて、嵌合部５２の内周面に設けたリブ５３，５５がそれぞれ突出部２２の切欠溝２２ａ，２２ｂに係入するとともに、プラグＢの導電ピン５４ａ，５４ｂが端子挿入用孔２３ａ，２３ｂを通して突出部２２内に挿入され、導電ピン５４ａ，５４ｂが対応する刃受部材１５，１５に電気的に接続される。このとき、刃受部材１５，１５が導電ピン５４ａ，５４ｂと弾接する弾接力によって、プラグＢが直流コンセントＡに接続された状態で保持される。なお、各コンセント部２０ａ，２０ｂでは、突出部２２の前面が器体１（カバー３）の前面よりも後退した位置にあるので、コンセント部２０ａ，２０ｂに接続されたプラグＢの器体１前面からの突出量を小さくできる。尚、プラグＢを取り外す際には、プラグ本体５１を引き抜くだけで、プラグＢを直流コンセントＡから容易に取り外すことができる。
【００４５】
ここにおいて、コンセント部２０ａの刃受部材１５には、端子部１１に入力された直流電源（ＤＣ４８Ｖ電源）がそのまま供給されているので、コンセント部２０ａに接続される直流機器に対しては直流コンセントＡに入力された直流電源をそのまま供給することができる。またコンセント部２０ｂの刃受部材１５には、コンバータ（ＤＣ／ＤＣコンバータ３０）により電圧値が変換された直流電源（ＤＣ２４Ｖ電源）が供給されるので、コンセント部２０ｂに接続される直流機器に対してはＤＣ／ＤＣコンバータ３０によって電圧値が変換された直流電源を供給することができる。すなわち本実施形態の直流コンセントＡでは、２つのコンセント部２０ａ，２０ｂから、電圧値の異なる２種類の直流電源を供給することができるので、２種類の定格電圧の直流機器に対して駆動電源を供給することができる。しかも、直流コンセントＡは、外部電源をコンセント部に適合した直流電源に変換するコンバータとしてＤＣ／ＤＣコンバータ３０を内蔵し、ＤＣ／ＤＣコンバータ３０により、外部電源をコンセント部２０ａ，２０ｂに適合した電圧値の直流電源に変換して、対応するコンセント部２０ａ，２０ｂに供給しているので、端子部１１に接続する外部電源の系統数を少なくすることができ、配線数を減らして施工性を向上させることができる。
【００４６】
また、コンセント部２０ａ，２０ｂはＩＥＣ規格に準拠しているので、ＩＥＣ規格に準拠したプラグＢを備える直流機器を接続して、使用することができる。
【００４７】
さらに、直流コンセントＡの器体１はＪＩＳ規格に準拠した大きさに形成されており、大角形連用配線器具の取付枠８０に３個まで取着可能なモジュール寸法の２個分の大きさ（２個モジュール寸法）に形成されているので、大角形連用配線器具の取付枠８０を用いた施工が可能になり、また器体１は２個モジュール寸法に形成されているので、１個モジュール寸法に形成された他の配線器具と共に取付枠８０に並設することができ、使い勝手が向上するという利点がある。
【００４８】
（実施形態２）
本発明の実施形態２を図１１〜図１４に基づいて説明する。上述の実施形態１では器体１の大きさを２個モジュール寸法としているのに対して、本実施形態では図１１及び図１２に示すように器体１を３個モジュール寸法に形成し、突台５の前面に３個のコンセント部２０ａ，２０ｂ，２０ｃを上下方向に並べて配置してある。尚、本実施形態の直流コンセントＡは、器体１の大きさやコンセント部の数が異なる点を除いては実施形態１と同様の構成を有しているので、共通する構成要素には同一の符号を付して、その説明は省略する。
【００４９】
図１３は直流コンセントＡの内部回路を示し、造営面の裏側に先行配線された外部の直流電源（例えばＤＣ４８Ｖ電源）からの電線が接続される端子部１１と、端子部１１に入力された直流電源がそのまま供給されるコンセント部２０ａと、端子部１１に入力された直流電源を電圧値の異なる直流電源（例えばＤＣ２４Ｖ電源）に変換してコンセント部２０ｂに供給するＤＣ／ＤＣコンバータ３１と、端子部１１に入力された直流電源を電圧値の異なる直流電源（例えばＤＣ１２Ｖ電源）に変換してコンセント部２０ｃに供給するＤＣ／ＤＣコンバータ３２とを備えている。すなわち本実施形態では、３つのコンセント部２０ａ，２０ｂ，２０ｃから３種類（ＤＣ４８Ｖ、ＤＣ２４Ｖ及びＤＣ１２Ｖ）の直流電源を供給できるので、３種類の定格電圧の直流機器に対して駆動電源を供給することができる。
【００５０】
また直流コンセントＡは、実施形態１と同様、ＩＥＣ規格に準拠したコンセント部２０ａ〜２０ｃを備えているので、ＩＥＣ規格に準拠したプラグＢを備える直流機器を接続して、使用することができる。
【００５１】
また更に、直流コンセントＡの器体１は大角形連用配線器具の３個モジュール寸法に形成されているので、大角形連用配線器具の取付枠８０を用いた施工が可能になり、図１４（ａ）（ｂ）に示すように直流コンセントＡを他の埋込配線器具と共に並設することもできる。ここで、図１４（ａ）に示す例では、２連の取付枠（図示せず）に上述の直流コンセントＡが３個モジュール寸法に形成されたＡＣコンセント９５と共に連設されており、直流コンセントＡ及びＡＣコンセント９５のボス部（突台５）が２連用のプレート９０’の開口９１，９１からそれぞれ前方に露出している。また図１４（ｂ）に示す例では、２連の取付枠に上述の直流コンセントＡが、それぞれ１個モジュール寸法に形成されたＬＡＮ用コンセント９２およびＴＶコンセント９４と共に連設されており、直流コンセントＡ及びＬＡＮ用コンセント９２並びにＴＶコンセント９４のボス部（突台５）が２連用のプレート９０’の開口９１，９１からそれぞれ前方に露出している。
【００５２】
（実施形態３）
本発明の実施形態３を図１５及び図１６に基づいて説明する。上述の実施形態１，２では直流コンセントＡの器体１が取付枠８０を用いて造営面に配設されていたが、本実施形態では、実施形態２で説明した直流コンセントＡにおいてカバー３に取付枠８０を一体化してあり、別体に形成された取付枠８０を用いることなく、器体１を直接造営面に固定できるようにしてある。尚、カバー３以外の構成は実施形態２又は実施形態１と同様であるので、共通する構成要素には同一の符号を付して、その説明は省略する。
【００５３】
直流コンセントＡは、図１５（ａ）及び図１６に示すように合成樹脂製の器体１（コンセント本体）を備え、この器体１は、前面が開口した略箱状の合成樹脂製のボディ２と、後面が開口した略箱状の合成樹脂製のカバー３とが、互いに設けた凹凸嵌合部（図示せず）を嵌合させることによって結合されている。
【００５４】
カバー３の前面には突台５が一体に突設され、突台５の前面には直流電源用のプラグが着脱自在に接続される複数（例えば３個）のコンセント部２０ａ，２０ｂ，２０ｃが上下に並べて設けられている。
【００５５】
ここで、直流コンセントＡの器体１は、日本工業規格（ＪＩＳ  Ｃ  ８３０３参照）に準拠した大きさであって、大角形連用配線器具の取付枠８０（ＪＩＳ  Ｃ  ８３７５参照）に３個まで並べて取着可能なモジュール寸法の３個分の大きさ（この大きさを２個モジュール寸法という。）に形成されている。そして、カバー３の上下両端部の後縁からは、造営面に設けた埋込用孔に器体１の後部を収納した状態で埋込用孔の周縁部に後面が当接する固定片２５，２５がそれぞれ上下方向に向かって延設されている。各固定片２５には、図示しない埋込ボックスに取り付けるためのボックスねじ用の長孔２６と、前面にプレート枠（図示せず）等を取り付けるためのプレートねじ用のねじ孔２７と、壁を構成する石膏ボードなどに取り付けるための従来周知のはさみ金具（図示せず）が取着される取着孔２８と、壁にカバー３を直接ねじ止めするための木ねじが挿通される挿通孔２９とが設けられている。
【００５６】
この直流コンセントＡを造営面に埋込配設するに当たっては、造営面に開口する埋込用孔を通して電線を室内側に引き出した後、この電線の被覆が剥かれた芯線を電線挿入孔２ａに挿入して、直流電源からの電線を直流コンセントＡに接続する。そして、器体１の後部を埋込用孔に挿入し、上下両側の固定片２５，２５の後面を埋込用孔の周縁部に当接させた状態で、ボックスねじ又は木ねじ或いは挟み金具などを用いて固定片２５，２５（すなわち器体１）を造営面に固定した後、固定片２５，２５のねじ孔２７を用いて前面側にプレートを取着することで施工が完了する。尚、施工完了状態において、固定片２５の前面側に取着されるプレートの開口窓から、コンセント部２０ａ〜２０ｃが設けられた突台５の前面が露出するようになっている。
【００５７】
上述のように本実施形態では、直流コンセントＡの器体１が日本工業規格に準拠した大きさであって、モジュール寸法の３個分の大きさに形成されており、造営面に設けた埋込用孔に器体１の後部を収納し、固定片２５，２５の後面を埋込用孔の周縁部に当接させた状態で、長孔２６に挿通されたボックスねじ、又は、挿通孔２９に挿通された木ねじ、或いは、取着孔２８に取着された挟み金具を用いて、固定片２５が造営面に固定されるので、取付枠を用いることなく器体１を造営面に埋込配設することができる。ここにおいて、ボックスねじを挿通するための長孔２６や、挟み金具を取着するための取着孔２８や、木ねじを挿通するための挿通孔２９などから固定片２５を造営面に固定するための固定手段が構成される。
【００５８】
なお上述の実施形態１ではコンセント部の数が２口で、２種類の直流電源が供給可能であり、また実施形態２，３ではコンセント部の数が３口で、３種類の直流電源が供給可能であるが、コンセント部の数や供給される直流電源の種類は上記の形態に限定されるものではなく、少なくとも電圧値の異なる複数種類の直流電源を含めた複数種類の電源（直流電源、交流電源）を供給可能な複数のコンセント部を備えていれば良い。またコンセント部を３口備えている場合には、２口のコンセント部から同じ電圧値の直流電源を供給するとともに、残りの１口のコンセント部から他のコンセント部と電圧値の異なる直流電源を供給するようにしても良い。
【００５９】
（実施形態４）
本発明の実施形態４を図１７（ａ）（ｂ）に基づいて説明する。上述の実施形態１〜３では、直流コンセントＡがＤＣ／ＤＣコンバータを内蔵し、外部から入力される直流電源をＤＣ／ＤＣコンバータによって対応するコンセント部に適合した電圧値に変換して、当該コンセント部に供給しているのに対して、本実施形態では、直流コンセントＡに外部から交流電源が供給され、内蔵するＡＣ／ＤＣコンバータで交流電源を複数種類の電圧値の直流電源に変換して複数のコンセント部に供給している。尚、内部回路を除いては実施形態１〜３の直流コンセントＡと同様の構成を有しているので、共通する構成要素には同一の符号を付して、その説明は省略する。
【００６０】
図１７（ａ）は本実施形態の直流コンセントＡの内部回路図である。この直流コンセントＡは、実施形態１と同様、２口のコンセント部２０ａ，２０ｂを備えている。また直流コンセントＡは、端子部１１に入力された交流電源（例えばＡＣ４８Ｖ）をコンセント部２０ａに適合した電圧値の直流電源（例えばＤＣ４８Ｖ）に変換してコンセント部２０ａに供給するＡＣ／ＤＣコンバータ３３と、端子部１１に入力された交流電源をコンセント部２０ｂに適合した電圧値の直流電源（例えばＤＣ２４Ｖ）に変換してコンセント部２０ｂに供給するＡＣ／ＤＣコンバータ３４とを備え、２つのコンセント部２０ａ，２０ｂから２種類（ＤＣ４８Ｖ及びＤＣ２４Ｖ）の直流電源を供給できるようになっている。
【００６１】
このように本実施形態では、外部電源をコンセント部に適合した直流電源に変換するコンバータとしてＡＣ／ＤＣコンバータ３３，３４を用い、ＡＣ／ＤＣコンバータ３３，３４が、端子部１１に入力された交流電源を、電圧値の異なる複数種類の直流電源に変換し、対応するコンセント部２０ａ，２０ｂの刃受部材に供給しているので、複数種類の定格電圧の直流機器に対して駆動電源を供給することができ、また端子部１１に接続する電源の系統を少なくできるという利点もある。
【００６２】
尚、図１７（ａ）の形態では２口のコンセント部２０ａ，２０ｂからＤＣ４８Ｖ電源とＤＣ２４Ｖ電源を供給しているが、コンセント部の数や供給される電源の種類は上記の形態に限定されるものではなく、少なくとも電圧値の異なる複数種類の直流電源を含めた複数種類の電源（直流電源、交流電源）を供給可能な複数のコンセント部を備えていれば良い。例えば図１７（ｂ）に示すように、実施形態２又は３の直流コンセントＡにおいて、端子部１１に入力された交流電源（例えばＡＣ４８Ｖ）をコンセント部２０ａに適合した電圧値の直流電源（例えばＤＣ４８Ｖ）に変換してコンセント部２０ａに供給するＡＣ／ＤＣコンバータ３３と、端子部１１に入力された交流電源をコンセント部２０ｂに適合した電圧値の直流電源（例えばＤＣ２４Ｖ）に変換してコンセント部２０ｂに供給するＡＣ／ＤＣコンバータ３４とを備え、２つのコンセント部２０ａ，２０ｂから負荷機器へ２種類（ＤＣ４８Ｖ及びＤＣ２４Ｖ）の直流電源を供給するとともに、コンセント部２０ｃから負荷機器へ端子部１１に入力された交流電源（ＡＣ４８Ｖ）をそのまま供給するようにしても良い。また、図１７（ｂ）に示す直流コンセントＡにおいて、端子部１１に入力された交流電源をコンセント部２０ａ，２０ｂとは異なる電圧値の直流電源（例えばＤＣ１２Ｖ）に変換してコンセント部２０ｃに供給するＡＣ／ＤＣコンバータをさらに備え、３つのコンセント部２０ａ〜２０ｃから３種類の直流電源を供給させても良い。
【００６３】
（実施形態５）
本発明の実施形態５を図１８及び図１９に基づいて説明する。上述の実施形態１〜３では、外部から入力される直流電源を、内蔵するＤＣ／ＤＣコンバータによって対応するコンセント部に適合した電圧値に変換して、当該コンセント部に供給している。また上述の実施形態４では、外部から入力される交流電源を、内蔵するＡＣ／ＤＣコンバータによって対応するコンセント部に適合した電圧値の直流電源に変換して、当該コンセント部に供給している。それに対して本実施形態では、複数種類の直流電源からの電線がそれぞれ接続される複数の端子部を備え、端子部を介して入力された直流電源を対応するコンセント部にそのまま供給している。尚、内部回路を除いては実施形態１〜３の直流コンセントＡと同様の構成を有しているので、共通する構成要素には同一の符号を付して、その説明は省略する。
【００６４】
図１８（ｂ）は本実施形態の直流コンセントＡの内部回路図である。この直流コンセントＡは、実施形態１と同様、２口のコンセント部２０ａ，２０ｂを備えるとともに、各コンセント部２０ａ，２０ｂに対応して２組の端子部１１ａ，１１ｂを備えている。そして、器体１の内部には２組の端子部１１ａ，１１ｂを構成する部品（端子板、鎖錠ばね及び解除釦）が収納され、ボディ２の後面には電線挿入孔２ａ及び解除釦操作孔２ｂが２組分設けられている。ここで、端子部１１ａにはコンセント部２０ａに適合した電圧値の直流電源（例えばＤＣ４８Ｖ）が接続され、端子部１１ｂにはコンセント部２０ｂに適合した電圧値（例えばＤＣ２４Ｖ）の直流電源が接続されている。そして、端子部１１ａ，１１ｂにそれぞれ入力された直流電源はそのままコンセント部２０ａ，２０ｂに供給されており、各コンセント部２０ａ，２０ｂから対応する負荷機器（図示せず）に２種類の直流電源が供給されるようになっている。
【００６５】
このように本実施形態では、端子部１１ａ，１１ｂを介してそれぞれ入力された複数種類の直流電源が各コンセント部２０ａ，２０ｂから対応する負荷機器に供給されるので、各々の直流コンセントでＡＣ／ＤＣ変換やＤＣ／ＤＣ変換を行う場合のように個々の直流コンセントＡで変換ロスが発生することはなく、建物全体での電力損失を低減することができる。
【００６６】
尚、図１８に示す形態では２口のコンセント部２０ａ，２０ｂからＤＣ４８Ｖ電源とＤＣ２４Ｖ電源を供給しているが、コンセント部の数や供給される電源の種類は上記の形態に限定されるものではなく、少なくとも電圧値の異なる複数種類の直流電源を含めた複数種類の電源（直流電源、交流電源）を供給可能な複数のコンセント部を備えていれば良い。
【００６７】
例えば図１９（ａ）（ｂ）に示すように、実施形態２又は３の直流コンセントＡにおいて、各コンセント部２０ａ，２０ｂ，２０ｃに対応して３組の端子部１１ａ，１１ｂ，１１ｃを設け、各コンセント部２０ａ，２０ｂ，２０ｃから３種類の直流電源を供給するようにしても良い。この直流コンセントＡでは、器体１の内部に３組の端子部１１ａ，１１ｂ，１１ｃを構成する部品（端子板、鎖錠ばね及び解除釦）が収納されるとともに、ボディ２の後面には電線挿入孔２ａ及び解除釦操作孔２ｂが３組分設けられている。そして、端子部１１ａにはコンセント部２０ａに適合した電圧値の直流電源（例えばＤＣ４８Ｖ）が、端子部１１ｂにはコンセント部２０ｂに適合した電圧値（例えばＤＣ２４Ｖ）の直流電源が、端子部１１ｃにはコンセント部２０ｃに適合した電圧値（例えばＤＣ１２Ｖ）の直流電源がそれぞれ接続され、各端子部１１ａ，１１ｂ，１１ｃに入力された直流電源はそのままコンセント部２０ａ，２０ｂ，２０ｃに供給されるので、実施形態２又は３と同様、各コンセント部２０ａ，２０ｂ，２０ｃから対応する負荷機器（図示せず）に３種類の直流電源を供給することができる。すなわち本実施形態では、複数種類の定格電圧の直流機器に対して駆動電源を供給することができ、しかも端子部１１ａ〜１１ｃに入力された電源をそのまま対応するコンセント部２０ａ〜２０ｃに供給しているので、直流コンセント内でＡＣ／ＤＣ変換やＤＣ／ＤＣ変換を行う場合のように各直流コンセントで変換ロスが発生することはなく、建物全体での電力損失を低減することができる。
【図面の簡単な説明】
【００６８】
【図１】実施形態１の直流コンセントを示し、（ａ）は正面図、（ｂ）は右側面図、（ｃ）は背面図、（ｄ）は下面図である。
【図２】同上を示し、図１（ａ）におけるＣ−Ｃ断面図である。
【図３】（ａ）は同上を取付枠に取り付けた状態の斜視図、（ｂ）は同上を取付枠に取り付ける前の状態の斜視図である。
【図４】（ａ）〜（ｃ）は同上の施工例を示す説明図である。
【図５】同上の内部回路図である。
【図６】同上のコンセント部を示し、（ａ）はコンセント部の拡大図、（ｂ）はＣ−Ｃ断面図、（ｃ）はＤ−Ｄ断面図である。
【図７】同上のコンセント部に設けられた切欠溝の位置を示し、（ａ）は直流電源の場合の説明図、（ｂ）は交流電源の場合の説明図である。
【図８】同上に接続されるプラグを示し、（ａ）は外観斜視図、（ｂ）は正面図である。
【図９】同上に接続されるプラグを示し、（ａ）は正面図、（ｂ）はＥ−Ｅ断面図、（ｃ）はＦ−Ｆ断面図である。
【図１０】同上に接続されるプラグに設けた識別リブの位置を示し、（ａ）は直流電源の場合の説明図、（ｂ）は交流電源の場合の説明図である。
【図１１】実施形態２の直流コンセントを示し、（ａ）は正面図、（ｂ）は右側面図、（ｃ）は背面図、（ｄ）は下面図である。
【図１２】（ａ）は同上を取付枠に取り付けた状態の斜視図、（ｂ）は同上を取付枠に取り付ける前の状態の斜視図である。
【図１３】同上の内部回路図である。
【図１４】（ａ）（ｂ）は同上の施工例を示す説明図である。
【図１５】（ａ）（ｂ）は実施形態３の直流コンセントの正面図である。
【図１６】同上の外観斜視図である。
【図１７】（ａ）（ｂ）は実施形態４の直流コンセントの内部回路図である。
【図１８】実施形態５の直流コンセントを示し、（ａ）は背面図、（ｂ）は内部回路図である。
【図１９】同上の直流コンセントの他例を示し、（ａ）は背面図、（ｂ）は内部回路図である。
【符号の説明】
【００６９】
Ａ  直流コンセント
１  器体（コンセント本体）
２  ボディ
３  カバー
４  組立枠
２０ａ，２０ｂ  コンセント部
２１  プラグ挿入用穴
２２  突出部
２３ａ，２３ｂ  端子挿入用孔
【図１】
2010027249.tif 000003
【図２】
2010027249.tif 000004
【図３】
2010027249.tif 000005
【図４】
2010027249.tif 000006
【図５】
2010027249.tif 000007
【図６】
2010027249.tif 000008
【図７】
2010027249.tif 000009
【図８】
2010027249.tif 000010
【図９】
2010027249.tif 000011
【図１０】
2010027249.tif 000012
【図１１】
2010027249.tif 000013
【図１２】
2010027249.tif 000014
【図１３】
2010027249.tif 000015
【図１４】
2010027249.tif 000016
【図１５】
2010027249.tif 000017
【図１６】
2010027249.tif 000018
【図１７】
2010027249.tif 000019
【図１８】
2010027249.tif 000020
【図１９】
2010027249.tif 000021